(57)【特許請求の範囲】
【請求項１】
規格寸法の柱材を使用して建築する木造住宅において、通常、基礎上に横設された土台
の上に渡された根太の上に床材を配設して形成されている床面を、リビング等一部の部屋
に限って前記根太を、基礎の一部を窪ませて設けた欠け込みの上に渡し、その上に床材を
配設して床面を形成することにより、前記リビング等一部の部屋の床面を、当該木造住宅
の標準床面から１５〜２０ｃｍ下げて敷設可能にし、該リビング等一部の部屋の有効天井
高を他の部屋より１５〜２０ｃｍ高めてなることを特徴とする木造住宅。
【請求項２】
前記リビング等一部部屋の床面の下げ寸法が、当該住宅の階段の段差の寸法に採られて
なることを特徴とする請求項１に記載の木造住宅。
【請求項３】
当該住宅の階段の段数を１７段と通常の木造住宅の階段の段数１５段より増やして段差
を縮め、老齢者や幼児の安全に配慮してなることを特徴とする請求項１又は２に記載の木
造住宅。
【発明の詳細な説明】
【技術分野】
【０００１】
規格寸法の建築資材を使用して建築する木造住宅において、規格寸法の柱材によって制
限される天井高を、リビング等一部の部屋に限って規格寸法外の柱材を用いることなく高
くして快適な居住空間を構築し、かつ階段段差を縮めて老齢者、幼児の安全確保を図って
なる木造住宅に関する。
【背景技術】
【０００２】
住宅における天井高が、居住空間の快適さを左右するのはよく経験するところである。
例えば天井の高い古民家において得られる安らぎや開放感は心地よいものであり、反面屋
根裏部屋（ロフト）のように天井の低い部屋では狭隘なことも相まって、閉塞感におそわ
れ、長居無用ということになりかねない。
【０００３】
そこで、近年の木造住宅においても、リビングルームを２階までの吹き抜けにしたり、
屋根の勾配を利用して斜めに天井板を張るなどして天井高を高めて居住空間の快適さを確
保する対策が行われてきている。
【０００４】
しかし、階下の部屋においては、規格寸法の柱を使用する限り天井高を２６０ｃｍ以上
にとることはできず、天井高を２６０ｃｍ以上にするには、規格寸法より長い柱を特注し
なくてはならず、コストの高騰につながることとなる。
【発明の開示】
【発明が解決しようとする課題】
【０００５】
本発明は、上記背景技術に鑑み、規格寸法の柱を使用した木造住宅の階下の部屋の有効
天井高を、従来の木造建築物で限界とされていた２６０ｃｍ以上にして居住空間の快適さ
を増すとともに、老齢者や幼児の安全に配慮した木造住宅を提供することを課題とする。
【課題を解決するための手段】
【０００６】
本発明者は、上記課題を下記の手段によって解決した。
【０００７】
（１）規格寸法の柱材を使用して建築する木造住宅において、通常、基礎上に横設され
た土台の上に渡された根太の上に床材を配設して形成されている床面を、リビング等一部
の部屋に限って前記根太を、基礎の一部を窪ませて設けた欠け込みの上に渡し、その上に
床材を配設して床面を形成することにより、前記リビング等一部の部屋の床面を、当該木
造住宅の標準床面から１５〜２０ｃｍ下げて敷設可能にし、該リビング等一部の部屋の有
効天井高を他の部屋より１５〜２０ｃｍ高めてなることを特徴とする木造住宅。
【０００８】
（２）前記リビング等一部部屋の床面の下げ寸法が、当該住宅の階段の段差の寸法に採
られてなることを特徴とする前項（１）に記載の木造住宅。
【０００９】
（３）当該住宅の階段の段数を１７段と通常の木造住宅の階段の段数１５段より増やし
て段差を縮め、老齢者や幼児の安全に配慮してなることを特徴とする前項（１）又は（２
）に記載の木造住宅。
【発明の効果】
【００１０】
本発明の木造住宅により、下記の効果が期待できる。
【００１１】
〈１〉請求項１の発明によれば、
規格寸法の柱材を使用して建築する木造住宅において、通常、基礎上に横設された土台
の上に渡された根太の上に床材を配設して形成されている床面を、リビング等一部の部屋
に限って前記根太を、基礎の一部を窪ませて設けた欠け込みの上に渡し、その上に床材を
配設して床面を形成することにより、前記リビング等一部の部屋の床面を、当該木造住宅
の標準床面から１５〜２０ｃｍ下げて敷設可能にし、該リビング等一部の部屋の有効天井
高を他の部屋より１５〜２０ｃｍ高められるので、より快適な居住空間が構成できる。
【００１２】
なお、上記効果は、椅子での生活が一般化し、また日本人の長身化が伸展する中で、生
活の中心となるリビング等においてより有効なものとなる。
【００１３】
〈２〉請求項２の発明によれば、
居室等一部の部屋の床面の廊下面からの下げ寸法が、当該住宅の階段の段差の寸法に採ら
れているので、床面が下げられた部屋の出入り口に直結あるいは近接して階上へ向かう階
段が設けられても、段差による踏み外しの恐れは少なく、円滑な昇降が可能となる。
【００１４】
〈３〉請求項３の発明によれば、
当該住宅の階段の段数を１７段と通常の木造住宅の階段の段数１５段より増やして段差を
縮めてあるので、歩行の不自由な老齢者や歩幅の狭い幼児の安全に配慮した木造住宅が提
供できる。
【発明を実施するための最良の形態】
【００１５】
本発明の木造住宅の実施の形態を実施例の図に基づいて説明する。
【００１６】
図１は通常の天井高の和室と床面を下げて有効天井高を高めたリビングの間仕切り部分
の斜視図、図２は和室とリビングの間仕切り部分の断面図を示す。
【００１７】
図において１は基礎、２は土台、３は柱、４は根太、５は床板、６は畳、７は欠き込み
（窪み）、８はフローリングを示す。
【００１８】
本発明の木造住宅は、規格寸法の建築資材を使用して建築する木造住宅にあって、柱の
寸法によって制限される天井高をリビング等一部の部屋について１５〜２０ｃｍ高め、よ
り快適な空間を確保しようと開発されたものである。
【００１９】
図１に示すように木造住宅において、和室とリビングの間に段差が設けられることは従
来から行われているが、従来はリビングより和室の床面を高めることによって行われてお
り、規格寸法の柱を使用する限り、和室の天井高は規格寸法の柱で得られる天井高より低
くなっている状態にあった。
【００２０】
本発明の木造住宅では、図２に示すように、基礎１の上に横設された土台２の上面に柱
３が立設されており、和室は前記土台２の上に渡された根太４の上に張られた床板５上に
畳６を敷いて形成する従来の工法がとられているが、リビングは基礎１の上面に設けた欠
き込み７に直接根太４を渡しその上にフローリング８を施して床面を形成している。した
がって、リビングの床面は、和室の床面に比べて土台２、根太４、床板５、畳６の厚みに
相当する分だけ低くなり、その分有効天井高は高まることになる。
【００２１】
柱３は土台２の上に立設されるので、リビングの床面は規格寸法の柱３の下端から少な
くとも土台に厚み分低い位置にあり、リビングの天井高は従来の工法での施工より少なく
とも土台２の厚み分高くなることになる。
【００２２】
図２において和室の敷居面とリビングの床面との段差を、当該住宅の階段の段差に等し
くとることが好ましい。床面が下げられたリビング等の出入り口に直結あるいは近接して
階上へ向かう階段が設けられても、段差による踏み外しの恐れは少なく、円滑な昇降が可
能となるからである。また、本発明の木造住宅では、階段の段数を１７段と通常の木造住
宅の階段の段数１５段より増やして段差を従来の２０ｃｍから１７．６ｃｍに縮めてある
ので、歩行の不自由な老齢者や歩幅の狭い幼児の安全に配慮した木造住宅が提供できる。
【図面の簡単な説明】
【００２３】
【図１】通常の天井高の和室と床面を下げて有効天井高を高めたリビングの間仕切り部分の斜視図
【図２】和室とリビングの間仕切り部分の断面図
【符号の説明】
【００２４】
１：基礎
２：土台
３：柱
４：根太
５：床板
６：畳
７：欠き込み（窪み）
８：フローリング
【図１】
0005051373.tif 000002
【図２】
0005051373.tif 000003